(57)【要約】【課題】小型化を図りながら、ヒューズとの良好な導通を確保できる接続装置を提供すること。【解決手段】接続装置１は、軸状に延伸し、延伸方向から視た断面が円形とされたヒューズ４０と、ヒューズ４０の両端部の周壁を弾性的に付勢することで周壁にそれぞれ取り付けられた円筒状の円筒部を有する一対の端子５０と、内部に第１収容空間１２Ａが設けられ、第１収容空間１２Ａ内に一対の端子５０の円筒部がそれぞれ嵌め込まれるとともにヒューズ４０が収容された第１ハウジング部１２と、を備える。接続装置１が過度な振動環境下に晒された場合であっても、ヒューズ４０と一対の端子５０との間で円筒部の弾性力によって振動が吸収され、ヒューズ４０と一対の端子５０との間の良好な導通を確保することができる。【選択図】図３
2015215990.tif 000002
【特許請求の範囲】
【請求項１】
軸状に延伸し、延伸方向から視た断面が円形とされたヒューズと、
前記ヒューズの両端部の周壁を弾性的に付勢することで該周壁にそれぞれ取り付けられた円筒状の円筒部を有する一対の端子と、
内部に収容空間が設けられ、該収容空間内に前記一対の端子の前記円筒部がそれぞれ嵌め込まれるとともに前記ヒューズが収容されたハウジングと、
を備える接続装置。
【請求項２】
前記一対の端子の少なくとも一方から前記ヒューズの延伸方向に沿って前記収容空間の外側に伸びるとともに電気機器と接続される機器側接続部を備える、請求項１に記載の接続装置。
【請求項３】
前記一対の端子のいずれか一方から前記ヒューズの延伸方向に沿って前記収容空間の外側に伸びるとともに電線と接続される電線側接続部を備える、請求項１または請求項２に記載の接続装置。
【請求項４】
前記一対の端子の少なくとも一方に、前記ヒューズの端面と対向する対向部が設けられている、請求項１から請求項３のいずれか１項に記載の接続装置。
【発明の詳細な説明】
【技術分野】
【０００１】
本明細書で開示される技術は、接続装置に関する。
【背景技術】
【０００２】
従来、電源側と電気機器側の電線等との間を接続する接続装置において、電気機器側に過電流が流れることを防止するため、内部にヒューズが配されたものが知られている。このような接続装置の一例として、例えば特許文献１に記載のコネクタが知られている。
【先行技術文献】
【特許文献】
【０００３】
【特許文献１】特開２０１１−２２２３９８号公報
【発明の概要】
【発明が解決しようとする課題】
【０００４】
しかしながら、上記特許文献１に開示されるコネクタでは、その内部においてヒューズがボルト締結によって取り付けられる。このようにヒューズがボルト締結によって取り付けられる構成では、コネクタの内部にボルトが収容されるスペースを設ける必要があり、コネクタが全体として大型化することが懸念される。
【０００５】
そこで、例えば内部に断面略Ｕ字状の溝からなるホルダが設けられ、そのホルダにヒューズが保持される接続装置も知られている。しかしながら、このような接続装置では、接続装置が過度な振動環境下に晒された場合、ヒューズの一部がホルダの溝の開口側から外れることがあり、ホルダとヒューズとの間が接触不良となることがある。その結果、ヒューズとの良好な導通を確保できない虞がある。
【０００６】
本明細書で開示される技術は、上記の課題に鑑みて創作されたものであって、小型化を図りながら、ヒューズとの良好な導通を確保できる接続装置を提供することを目的とする。
【課題を解決するための手段】
【０００７】
本明細書で開示される技術は、軸状に延伸し、延伸方向から視た断面が円形とされたヒューズと、前記ヒューズの両端部の周壁を弾性的に付勢することで該周壁にそれぞれ取り付けられた円筒状の円筒部を有する一対の端子と、内部に収容空間が設けられ、該収容空間内に前記一対の端子の前記円筒部がそれぞれ嵌め込まれるとともに前記ヒューズが収容されたハウジングと、を備える接続装置に関する。
【０００８】
上記の接続装置では、ハウジングの収容空間内に一対の端子の円筒部がそれぞれ嵌め込まれ、各円筒部がヒューズの両端部の周壁をそれぞれ弾性的に付勢する。このため、振動環境下において、ヒューズと一対の端子との間では、円筒部の弾性力によって振動が吸収される。しかもヒューズの両端部の周壁を付勢する各端子の円筒部は円筒状であるので、ヒューズの両端部の周壁が各端子の円筒部によって囲まれる形となり、接続装置が過度な振動環境下に晒された場合であっても、ヒューズの両端部が各端子から外れ難いものとなっている。その結果、ヒューズと一対の端子との間で良好な導通を確保することができる。また、ヒューズは、ボルト締結等によらず、その両端部にハウジングの収容空間内に嵌め込まれた一対の端子が取り付けられた状態で当該収容空間内に収容されるので、ヒューズがボルト締結等される従来の構成と比べて接続装置の小型化を図ることができる。このように上記の接続装置では、小型化を図りながら、ヒューズとの良好な導通を確保することができる。
【０００９】
上記の接続装置において、前記一対の端子の少なくとも一方から前記ヒューズの延伸方向に沿って前記収容空間の外側に伸びるとともに電気機器と接続される機器側接続部を備えてもよい。または、上記の接続装置において、前記一対の端子のいずれか一方から前記ヒューズの延伸方向に沿って前記収容空間の外側に伸びるとともに電線と接続される電線側接続部を備えてもよい。
【００１０】
これらの構成によると、機器側接続部によって電気機器との接続を容易にすることができ、電線接続部によって電線との接続を容易にすることができる。
【００１１】
上記の接続装置において、前記一対の端子の少なくとも一方に、前記ヒューズの端面と対向する対向部が設けられていてもよい。
【００１２】
この構成によると、ヒューズがその延伸方向に沿って位置ずれした場合、ヒューズの端面が対向部と干渉するため、ヒューズがその延伸方向に沿ってそれ以上位置ずれすることを抑制することができる。
【発明の効果】
【００１３】
本明細書で開示される技術によれば、小型化を図りながら、ヒューズとの良好な導通を確保できる接続装置を提供することができる。
【図面の簡単な説明】
【００１４】
【図１】実施形態１に係る接続装置の斜視図
【図２】接続装置の平断面を示す斜視図
【図３】接続装置に収容されたヒューズ及び一対の端子を示す斜視図
【図４】接続装置の分解斜視図
【図５】ヒューズ及び一対の端子を示す斜視図
【図６】ヒューズ及び一対の端子の側面図
【図７】ヒューズ及び一対の端子の正面図
【図８】ヒューズ及び一対の端子の断面図
【図９】ハウジング内にヒューズ及び一対の端子を収容する工程を示す断面図
【図１０】ハウジング内にヒューズ及び一対の端子を収容する工程を示す断面図
【図１１】ハウジング内にヒューズ及び一対の端子を収容する工程を示す断面図
【図１２】実施形態２に係る接続装置の斜視図
【図１３】接続装置の平断面を示す斜視図
【図１４】接続装置に収容されたヒューズ及び一対の端子を示す斜視図
【図１５】接続装置の分解斜視図
【図１６】ヒューズ及び一対の端子を示す斜視図
【発明を実施するための形態】
【００１５】
＜実施形態１＞
図１から図１１を参照して実施形態１を説明する。本実施形態では、インバータ（不図示）側のコネクタとエアコン側の電線（不図示）との間を接続する接続装置１を例示する。この接続装置１は、その内部に後述するヒューズ４０が収容されており、インバータ側からエアコン側に過電流が流れることを防止する。以下では、インバータとの接続側、即ち図１から図５における図面左下側を前方とし、電線との接続側、即ち図１から図５における図面右上側を後方とする。また、図１から図５において、図面右下側を右方とし、図面左上側を左方とする。
【００１６】
接続装置１は、図１から図３に示すように、ハウジング１０と、インバータに接続される一対の平板状（タブ状）の機器側接続部２０，２１と、電線に接続される円柱状（ピン状）の一対の電線側接続部３０，３１と、前後方向に沿って軸状に伸びる形で配されたヒューズ４０と、ヒューズ４０の前後方向における両端部に取り付けられた一対の端子５０とを備えている。
【００１７】
ハウジング１０は、図１及び図２に示すように、略円筒状の第１ハウジング部１２と、第１ハウジング部１２の左隣に設けられ、前後方向の寸法、及び左右方向の寸法が第１ハウジング部１２よりも小さな略円筒状の第２ハウジング部１４と、第１ハウジング部１２及び第２ハウジング部１４から前方に向かって横長の筒状に伸びるフード部１６と、からなっている。
【００１８】
第１ハウジング部１２の内部には、図２及び図３に示すように、略円筒状の第１収容空間（収容空間の一例）１２Ａが設けられている。この第１収容空間１２Ａには、ヒューズ４０及び一対の端子５０がそれぞれ収容されている。ヒューズ４０及び一対の端子５０の構成、ヒューズ４０及び一対の端子５０の第１収容空間１２Ａ内への収容態様については、後で詳しく説明する。第２ハウジング部１４の内部には、略円筒状の第２収容空間１４Ａが設けられている。フード部１６は、一対の機器側接続部２０，２１の前側部分を、所定の間隔を空けつつ取り囲む形で設けられている。
【００１９】
図２及び図４に示すように、第１ハウジング部１２の第１収容空間１２Ａとフード部１６の内側に形成された空間との間には、両空間を連通する矩形状の第１連通孔１２Ｂが設けられている。また、第２ハウジング部１４の第２収容空間１４Ａとフード部１６の内側に形成された空間との間には、両空間を連通する矩形状の第２連通孔１４Ｂが設けられている。
【００２０】
接続装置１では、図２に示すように、一方の機器側接続部２０と一方の電線側接続部３０とが、ヒューズ４０及び一対の端子５０を介して互いに接続されている。即ち、一方の機器側接続部２０は、その後側部分が第１連通孔１２Ｂを貫通して第１収容空間１２Ａ内まで伸びており、その後端部がヒューズ４０の前端部４０Ａに取り付けられた端子５０と接続されている。そして、一方の電線側接続部３０は、その前側部分が第１収容空間１２Ａ内においてヒューズ４０の後端部４０Ａに取り付けられた端子５０と接続され、その後側部分が第１ハウジング部１２の後端からハウジング１０の外側に露出して後方側に伸びている。
【００２１】
一方、接続装置１では、図２に示すように、他方の機器側接続部２１の後側部分と他方の電線側接続部３１とが直接接続されている。即ち、他方の機器側接続部２１は、その後側部分が第２連通孔１４Ｂを貫通して第２収容空間１４Ａ内まで伸びており、その後端部が第２収容空間１４Ａ内において他方の電線側接続部３１の前端部と接続されている。他方の電線側接続部３１は、その後側部分が第２ハウジング部１４の後端からハウジング１０の外側に露出して後方側に伸びている。
【００２２】
続いてヒューズ４０及び一対の端子５０の構成について説明する。ヒューズ４０は、内部に消弧砂が充填された公知のもの（例えば限流ヒューズ）であり、前後方向に沿って軸状に延伸しており、図８に示すように、その延伸方向（前後方向）から視た断面が円形とされている。ヒューズ４０は、その両端部４０Ａが各端子５０との接触部とされている。ヒューズ４０は、その両端部４０Ａに一対の端子５０が取り付けられることで、一対の端子５０の間を電気的に接続している。
【００２３】
一対の端子５０は、いずれも同様の形状及び構成とされている。図４及び図６に示すように、一対の端子５０のうちヒューズ４０の前端部４０Ａに取り付けられる端子５０には、一方の機器側接続部２０の後端部が抵抗溶接によって接続されており、これにより、当該端子５０と一方の機器側接続部２０とが一体となっている。また、図４及び図６に示すように、一対の端子５０のうちヒューズ４０の後端部４０Ａに取り付けられる端子５０には、一方の電線側接続部３０の前端部が抵抗溶接によって接続されており、これにより、当該端子５０と一方の電線側接続部３０とが一体となっている。
【００２４】
各端子５０は、図４に示すように、ヒューズ４０の両端部４０Ａに直接取り付けられる円筒状の円筒部５２と、ヒューズ４０の端面と対向状に配される対向部５４と、を有している。端子５０を構成する円筒部５２は、略長方形状の平坦な金属板を円筒状に曲げ加工することによって形成されている。円筒部５２が円筒状とされることで、ヒューズ４０の両端部４０Ａに円筒部５２が取り付けられた状態では、ヒューズ４０の両端部４０Ａの周壁が各端子５０の円筒部５２によって囲まれる形となる。略円筒状に曲げ加工された円筒部５２の内径は、図７及び図８に示すように、ヒューズ４０の両端部４０Ａにそれぞれ取り付けられた状態で、ヒューズ４０の両端部４０Ａの外径とほぼ同等となっている。
【００２５】
図５及び図６に示すように、曲げ加工された円筒部５２の曲げ方向の両端部のうち一方の端部には２本のスリットが形成されている。これにより、当該一方の端部には、当該一方の端部から円筒部５２の曲げ方向に沿って延出する一対の第１押さえ片５２Ａ１と、前後方向において一対の第１押さえ片５２Ａ１の間に配されるとともに当該一方の端部から円筒部５２の曲げ方向に沿って延出する第１受け片５２Ａ２と、が設けられている。また、一対の第１押さえ片５２Ａ１の先端部には、図８に示すように、内側（ヒューズ４０の端部の周壁側）に向かって爪状に屈曲されてなる係合片５２Ａ３がそれぞれ設けられている。
【００２６】
一方、図５及び図６に示すように、曲げ加工された円筒部５２の曲げ方向の両端部のうち他方の端部には、上記一方の端部に設けられた２本のスリットと重なり合う位置に、それぞれスリットが設けられており、これにより、当該他方の端部には３つの片が設けられている。このうち２本のスリットの間に設けられた片が、第１受け片５２Ａ２に対応する第２押さえ片５２Ｂ１とされている。また、上記２本のスリットの両側に設けられた片が、上記一対の第１押さえ片５２Ａ１に対応する一対の第２受け片５２Ｂ２とされている。この一対の第２受け片５２Ｂ２には、図８に示すように、矩形状の係合孔５２Ｂ３がそれぞれ設けられている。
【００２７】
円筒部５２は、上述したように、金属板を略円筒状に曲げ加工することにより、前後方向において第２押さえ片５２Ｂ１が一対の第１押さえ片５２Ａ１の間に位置した状態となっている。具体的には、一対の第１押さえ片５２Ａ１が一対の第２受け片５２Ｂ２の外周面に重ね合わせられ、第２押さえ片２Ｂ１が第１受け片５２Ａ２の外周面に重ね合わされている。そして、一対の第１押さえ片５２Ａ１に設けられた係合片５２Ａ３が一対の第２受け片５２Ｂ２に設けられた係合孔５２Ｂ３にそれぞれ係合されている。これにより、円筒部５２は、金属板が円筒状に曲げ加工された状態で開き止めされている。
【００２８】
対向部５４は、図５及び図７に示すように、一つの端子５０に対して一対設けられている。対向部５４は、ヒューズ４０の前端部４０Ａに取り付けられた端子５０については円筒部５２の前端から、ヒューズ４０の後端部４０Ａに取り付けられた端子５０については円筒部５２の後端から、内側に向かって張り出す形で延出している。円筒部５２から延出する一対の対向部５４は、それぞれヒューズ４０の端面に近接して対向している。このため、両端部に端子５０が取り付けられた状態のヒューズ４０が当該端子５０に対して前後方向に相対移動すると、ヒューズ４０の前端面又は後端面が一対の対向部５４と即座に干渉し、端子５０に対してヒューズ４０がそれ以上相対移動することが抑制されるようになっている。
【００２９】
続いて第１収容空間１２Ａ内へのヒューズ４０及び一対の端子５０の収容態様について説明する。本実施形態では、ヒューズ４０及び一対の端子５０を第１収容空間１２Ａ内に収容する前に、予め、一方の端子５０の前端に一方の機器側接続部２０を抵抗溶接によって接続し、他方の端子５０の後端に一方の電線側接続部３０を抵抗溶接によって接続しておく。本実施形態では、第１収容空間１２Ａ内にヒューズ４０及び一対の端子５０を収容するに前の状態では、図９に示すように、第１収容空間１２Ａの後方側が開放されている。そして、この開放された第１収容空間１２Ａの後方側から、まず一方の端子５０を収容し、次にヒューズ４０を収容した後、他方の端子５０を収容する。
【００３０】
具体的には、まず、図９に示すように、第１収容空間１２Ａの後方側から一方の端子５０を収容し、上記一方の端子５０と接続された一方の機器側接続部２０を第１挿通孔１２Ｂに挿通させ、第１収容空間１２Ａ内の前方側に一方の端子５０の円筒部５２を嵌め込む。これにより、一方の機器側接続部２０の前側部分がフード部１６の内側の空間に配置される。なお、図９に示すように、第１収容空間１２Ａの内径は、金属板が曲げ加工されて開き止めされることによって形成された各端子５０の円筒部５２の外径よりわずかに大きくなっている。
【００３１】
次に、第１収容空間１２Ａ内に嵌め込まれた一方の端子５０の円筒部５２にヒューズ４０の前端部４０Ａを取り付ける。ここで、金属板が円筒状に曲げ加工されることによって形成された各端子５０の円筒部５２は、ヒューズ４０の両端部４０Ａに取り付けられる前の状態において、その内径がヒューズ４０の両端部４０Ａの外径よりもわずかに小さくされている。そこで、本実施形態では、図１０に示すように、第１収容空間１２Ａ内に嵌め込まれた一方の端子５０の円筒部５２にヒューズ４０の前端部４０Ａを圧入することで、当該一方の端子５０の円筒部５２の内側にヒューズ４０の前端部４０Ａを、その前端面が一対の対向部５４と近接するまで嵌め込む。これにより、一方の端子５０の円筒部５２にヒューズ４０の前端部４０Ａを取り付けることができる。なお、端子５０の円筒部５２は円筒状であるので、その内部にヒューズ４０を圧入したとしても、変形し難いものとなっている。
【００３２】
次に、第１収容空間１２Ａ内に収容されたヒューズ４０の後端部４０Ａに他方の端子５０の円筒部５２を取り付ける。この場合も上記と同様に、図１１に示すように、第１収容空間１２Ａ内に収容されたヒューズ４０の後端部４０Ａに他方の端子５０の円筒部５２を圧入することで、ヒューズ４０の後端部４０Ａに当該他方の端子５０の円筒部５２を、ヒューズ４０の後端面が一対の対向部５４と近接するまで嵌め込む。これにより、ヒューズ４０の後端部４０Ａに他方の端子５０の円筒部５２を取り付けることができる。
【００３３】
次に、第１収容空間１２Ａの後方側から、貫通孔６０Ａ，６２Ａをそれぞれ有するシール部材６０及び蓋体６２（図４参照）を順に嵌め込み、第１収容空間１２Ａの後方側を当該蓋体６２によって塞ぐ。またこのとき、シール部材６０及び蓋体６２の貫通孔６０Ａ，６２Ａに上記他方の端子５０と接続された一方の電線側接続部３０を挿通させることで、一方の電線側接続部３０の後側部分をハウジング１０の外側に露出させる。以上のようにして、第１収容空間１２Ａ内にヒューズ４０及び一対の端子５０が収容される。
【００３４】
このように本実施形態では、各端子５０の円筒部５２がヒューズ４０の両端部４０Ａに圧入されることで取り付けられる。このため、各端子５０の円筒部５２は、ヒューズ４０の両端部４０Ａに圧入される際、その内径がヒューズ４０の両端部４０Ａの外径と略等しくなるまで弾性的に拡径され、ヒューズ４０の両端部４０Ａに嵌め込まれる。その結果、ヒューズ４０の両端部４０Ａに取り付けられた状態の各端子５０の円筒部５２は、当該円筒部５２が縮径する向きに働く弾性復帰力によって、ヒューズ４０の両端部の周壁を略全周に亘って弾性的に付勢する。
【００３５】
以上説明したように本実施形態の接続装置１では、第１ハウジング部１２の第１収容空間１２Ａ内に一対の端子５０の円筒部５２がそれぞれ嵌め込まれ、各円筒部５２がヒューズ４０の両端部４０Ａの周壁をそれぞれ弾性的に付勢する。このため、振動環境下において、ヒューズ４０と一対の端子５０との間では、円筒部５２の弾性力によって振動が吸収される。しかもヒューズ４０の両端部４０Ａの周壁を付勢する各端子５０の円筒部５２は円筒状であるので、ヒューズ４０の両端部の周壁が各端子５０の円筒部５２によって囲まれる形となり、接続装置１が過度な振動環境下に晒された場合であっても、ヒューズ４０の両端部４０Ａが各端子５０から外れ難いものとなっている。その結果、ヒューズ４０と一対の端子５０との間で良好な導通を確保することができる。
【００３６】
また本実施形態において、ヒューズ４０は、ボルト締結等によらず、その両端部に第１ハウジング部１２の第１収容空間１２Ａ内に嵌め込まれた一対の端子５０が取り付けられた状態で当該第１収容空間１２Ａ内に収容されるので、ヒューズ４０がボルト締結等される従来の構成と比べて接続装置１の小型化を図ることができる。以上のように本実施形態の接続装置１では、小型化を図りながら、ヒューズ４０との良好な導通を確保することができる。
【００３７】
また本実施形態では、一方の端子５０の対向部５４からインバータ側に接続される機器側接続部２０が伸びており、他方の端子５０の対向部５４から電線側に接続される電線側接続部３０が伸びている。このため、インバータと電線との間を接続するための接続装置を、ヒューズ４０を収容するための部材として兼用することができ、ヒューズ４０を収容するための部材を別途配する必要がなく、部品点数の増加を抑えることができる。
【００３８】
また本実施形態では、一対の端子５０の各々に、ヒューズ４０の端面と対向する対向部５４が設けられている。このような構成とされていることで、ヒューズ４０がその延伸方向（前後方向）に沿って位置ずれした場合、ヒューズ４０の端面がいずれかの対向部５４と干渉するため、ヒューズ４０がその延伸方向（前後方向）に沿ってそれ以上位置ずれすることを抑制することができる。その結果、ヒューズ４０の両端部４０Ａと一対の端子５０との間で良好な接触を維持することができる。
【００３９】
ここで例えば、端子が弾性片等を有し、その弾性片がヒューズの端面をヒューズの延伸方向に沿って弾性的に付勢することでヒューズと端子との間の接触を図る構成では、接続装置が過度な振動環境下に晒されることでヒューズがその延伸方向に位置ずれした場合、ヒューズの端面が弾性片から離れる虞があり、ヒューズと端子との間が接触不良となることが懸念される。これに対し本実施形態の接続装置１では、一対の端子５０の円筒部５２が、ヒューズ４０の両端部４０Ａの周壁を押圧する方向、即ちヒューズ４０の延伸方向と直交する方向にヒューズ４０の両端部を付勢するので、ヒューズ４０がその延伸方向に位置ずれした場合であっても、ヒューズ４０の端部が端子５０の円筒部５２から離れ難いものとなっている。その結果、ヒューズ４０の端部４０Ａと端子５０との間で良好な接触を維持することができる。
【００４０】
さらに本実施形態では、一対の端子５０の円筒部５２がヒューズ４０の両端部４０Ａの周壁をその略全周に亘って付勢する構成とされている。このため、接続装置１が過度な振動環境下に晒されることでヒューズ４０がその延伸方向と直交する方向に位置ずれした場合であっても、一対の端子５０の円筒部５２とヒューズ４０の両端部４０Ａとの間の接触が維持され、ヒューズ４０と一対の端子５０との間で良好な導通を確保することができる。
【００４１】
また、仮にヒューズがインバータの内部に配される構成である場合、ヒューズを交換する度にインバータを分解する必要があり、インバータの内部に塵等が入り込むことが懸念される。この点、本実施形態では、インバータ側とエアコン側の電線との間を接続する接続装置１の内部にヒューズ４０が収容されるため、上記のような問題が生じることなく、ヒューズ４０を容易に交換することができる。
【００４２】
＜実施形態２＞
次に、図１２から図１６を参照して実施形態２を説明する。本実施形態は、ハウジング１１０の形状、一対の機器側接続部１２０，１２１の形状、及び各端子１５０の円筒部１５２の形状が実施形態１のものと異なっている。その他の構成については、上記実施形態のものと同様であるため、構造、作用、及び効果の説明は省略する。なお、図１２から図１６において、それぞれ図１から図５の参照符号にそれぞれ数字１００を加えた部位は、実施形態１で説明した部位と同一である。
【００４３】
本実施形態では、図１２及び図１３に示すように、接続装置１０１のハウジング１１０におけるフード部１１６の内側に、略円筒状の空間を有する２つのキャビティ１１６Ａが左右方向に並んで設けられている。２つのキャビティ１１６Ａは、それぞれ機器側接続部１２０，１２１の前側部分を、所定の間隔を空けつつ取り囲む形で設けられている。また、図１２及び図１３に示すように、一対の機器側接続部１２０，１２１が、それぞれ円柱状（ピン状）とされている。さらに、図１２及び図１３に示すように、第２ハウジング部１１４の前後方向の寸法が第１ハウジング部１１２の前後方向の寸法とほぼ同等とされている。
【００４４】
図１４及び図１５に示すように、本実施形態において、ヒューズ１４０の両端部１４０Ａに取り付けられる各端子１５０は、その対向部１５４がそれぞれ円板状とされている。そして、対向部１５４の外周縁から前後方向に伸びる形で円筒部１５２が設けられている。対向部１５４から伸びる円筒部１５２は、複数のスリットによって略等しい幅で複数に分割されている。また各端子の円筒部１５２は、対向部１５４からその先端部に向かうにつれてわずかに縮径するように設けられている。このような端子１５０は、例えば鍛造によって形成することができる。
【００４５】
また、一対の端子１５０のうち、ヒューズ１４０の前端部１４０Ａに取り付けられる端子１５０（一方の端子）では、その対向部１５４の略中央位置から円筒部１５２が設けられた側とは反対側に向かって一方の機器側接続部１２０が伸びている。即ち本実施形態では、ヒューズ１４０の前端部１４０Ａに取り付けられる端子１５０と一方の機器側接続部１２０とが一体的に形成されている。
【００４６】
一方、一対の端子１５０のうち、ヒューズ１４０の後端部１４０Ａに取り付けられる端子１５０（他方の端子）は、その対向部１５４から伸びる嵌合部１５６を有している。この嵌合部１５６は、対向部１５４の略中央位置から円筒部１５２が設けられた側とは反対側に向かって円柱状に伸びるとともに、その内部に凹部１５６Ａ（図１３参照）を有している。本実施形態では、この嵌合部１５６の凹部１５６Ａに一方の電線側接続部１３０の前端部が挿入されることで、ヒューズ１４０の後端部１４０Ａに取り付けられる端子１５０に対して一方の電線側接続部１３０が接続されるようになっている。
【００４７】
さらに、本実施形態では、図１４及び図１５に示すように、第１ハウジング部１１２の第１収容空間１１２Ａ内に、ヒューズ１４０及び一対の端子１５０に加え、前後に開口する筒状の筒状部材１７０が収容される。この筒状部材１７０は、その前後方向の寸法が、ヒューズ１４０の前後方向の寸法より大きく、第１収容空間１１２Ａの前後方向の寸法よりも小さくなっている。筒状部材１７０のうち後側部分は、その内径が他方の端子１５０の嵌合部１５６の外径とほぼ等しい厚肉部１７０Ａとされている。そして、筒状部材１７０のうち厚肉部１７０Ａを除く部位は、その内壁が厚肉部１７０Ａと比べて相対的に薄く、その内径が各端子１５０の円筒部１５２の外径とほぼ等しい薄肉部１７０Ｂとされている。
【００４８】
続いて第１収容空間１１２Ａ内へのヒューズ１４０及び一対の端子１５０の収容態様について説明する。本実施形態では、ヒューズ１４０及び一対の端子１５０を第１収容空間１１２Ａ内に収容する前に、予め、他方の端子１５０の嵌合部１５６に一方の電線側接続部１３０を嵌め込んで接続するとともに、筒状部材１７０の前方側の開口から一方の電線側接続部１３０に接続された他方の端子１５０を筒状部材１７０内に収容する。これにより、筒状部材１７０の厚肉部１７０Ａの内側に嵌合部１５６が収容されるとともに、対向部１５４が厚肉部１７０Ａと干渉し、筒状部材１７０の後方側の開口から端子１５０が抜けることが防止される。
【００４９】
本実施形態では、実施形態１と同様に、第１収容空間１１２Ａ内にヒューズ１４０及び一対の端子１５０を収容するに前の状態では、第１収容空間１１２Ａの後方側が開放されている。そして、この開放された第１収容空間１１２Ａの後方側から、まず一方の端子１５０を収容し、次にヒューズ４１０を収容した後、他方の端子１５０が収容された筒状部材１７０を収容する。
【００５０】
具体的には、まず、実施形態１と同様に、第１収容空間１１２Ａの後方側から一方の端子１５０を収容し、一方の端子１５０と接続された一方の機器側接続部１２０を第１挿通孔１１２Ｂに挿通させ、第１収容空間１１２Ａ内の前方側に一方の端子１５０の円筒部１５２を嵌め込む。次に、第１収容空間１１２Ａ内に嵌め込まれた一方の端子１５０の円筒部１５２にヒューズ１４０の前端部１４０Ａを取り付ける。ここで、各端子１５０において、対向部１５４から伸びる円筒部１５２は、ヒューズ１４０の両端部１４０Ａに取り付けられる前の状態において、その先端部の内径がヒューズ１４０の両端部１４０Ａの外径よりもわずかに小さくされている。
【００５１】
そこで、本実施形態では、実施形態１と同様に、第１収容空間１１２Ａ内に嵌め込まれた一方の端子１５０の円筒部１５２にヒューズ１４０の前端部１４０Ａを圧入することで、当該円筒部１５２の内側にヒューズ１４０の前端部１４０Ａを嵌め込む。次に、第１収容空間１１２Ａ内に収容されたヒューズ１４０の後端部に、筒状部材１７０に収容された他方の端子１５０を当該筒状部材１７０と共に第１収容空間１１２Ａ内に収容し、ヒューズ１４０の後端部１４０Ａに他方の端子１５０の円筒部１５２を圧入する。
【００５２】
このように、各端子１５０の円筒部１５２がヒューズ１４０の両端部１４０Ａに圧入されることで、実施形態１と同様に、各端子１５０の円筒部１５２の内径が弾性的に拡径され、ヒューズ１４０の両端部１４０Ａに各端子１５０の円筒部１５２が嵌め込まれる。その結果、各端子１５０の円筒部１５２は、当該円筒部１５２が縮径する向きに働く弾性復帰力によって、ヒューズ１４０の両端部１４０Ａの周壁を略全周に亘って弾性的に付勢する。
【００５３】
また、ヒューズ１４０の後端部１４０Ａに他方の端子１５０の円筒部１５２を圧入する際、他方の端子１５０と共に第１収容空間１１２Ａ内に収容される筒状部材１７０は、図１３及び図１４に示すように、その先端部が一方の端子１５０における対向部１５４の端縁部と当接する。これにより、ヒューズ１４０と第１収容空間１１２Ａとの間に筒状部材１７０が介在することとなるため、接続装置１が過度な振動環境下に晒された場合であっても、ヒューズ１４０の延伸方向（前後方向）と直交する方向にがたつくことを抑制することができる。その結果、ヒューズ１４０の両端部１４０Ａと一対の端子１５０との間で良好な接触を維持することができる。
【００５４】
その後、実施形態１と同様に、第１収容空間１１２Ａの後方側から、シール部材１６０及び蓋体１６２を順に嵌め込み、第１収容空間１１２Ａの後方側を当該蓋体１６２によって塞ぐ。以上のようにして、第１収容空間１１２Ａ内にヒューズ１４０及び一対の端子１５０が収容される。
【００５５】
上記の実施形態の他の変形例を以下に列挙する。
（１）上記の各実施形態では、各端子の円筒部がヒューズの両端部に圧入されることで、各端子の円筒部がヒューズの両端部の周壁を弾性的に付勢するものとされた例を示したが、ヒューズの両端部に対する各端子の円筒部の取付態様については限定されない。ヒューズの両端部に取り付けられた状態の各端子の円筒部がヒューズの両端部の周壁を弾性的に付勢するように、ヒューズの両端部に各端子の円筒部が取り付けられればよい。
【００５６】
（２）上記の各実施形態では、接続装置の一例としてインバータとインバータからエアコン側に伸びる電線との間を接続するための接続装置を例示したが、これに限定されない。本明細書で開示される接続装置は、様々な接続装置として適用することができる。
【００５７】
（３）上記の各実施形態では、円筒部が開き止めされた構成又は円筒部が複数のスリットによって分割された構成を例示したが、円筒部はヒューズの両端部の周壁を弾性的に付勢する円筒状のものであればよく、その構成については限定されない。
【００５８】
（４）上記の各実施形態では、両端子から伸びる機器側接続部と電線側接続部の少なくとも一方が円柱状（ピン状）とされた構成を例示したが、機器側接続部及び電線接続部の形状については限定されない。例えば機器側接続部と電線側接続部の両者が平板状（タブ状）とされた構成であってもよい。
【００５９】
（５）上記の各実施形態では、一方の端子から機器側接続部が伸びており、他方の端子から電線側接続部が伸びている構成を例示したが、両端子からそれぞれ機器側接続部が伸びる構成であってもよい。
【００６０】
（６）上記の各実施形態では、ハウジングの収容空間内に一方の端子を先に嵌め込んだ後、その一方の端子にヒューズの一端部を圧入する例を示したが、収容空間内へのヒューズ及び一対の端子の収容手順については限定されない。例えばヒューズの両端部に各端子を先に圧入した後、両端子が取り付けられたヒューズをハウジングの収容空間内に収容してもよい。
【００６１】
（７）上記の実施形態１では、機器側接続部及び電線側接続部が一対の端子に対してそれぞれ抵抗溶接によって接続された構成を例示したが、一対の端子に対する機器側接続部及び電線側接続部の接続態様については限定されない。例えば、一対の端子に対して機器側接続部及び電線側接続部を圧着によって接続してもよい。
【００６２】
（８）上記の実施形態１では、端子の円筒部の内面の略全域がヒューズの端部の周壁と接触する構成を例示したが、実施形態１において端子の円筒部の内面に内向きに突出する複数の凸部が設けられ、それらの凸部がヒューズの端部の周壁と接触する、いわゆるディンプル接触とされた構成であってもよい。このような構成とされていると、端子の円筒部とヒューズの端部との接点における接圧を高めることができる。
【００６３】
以上、各実施形態について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００６４】
１，１０１…接続装置
１０，１１０…ハウジング
１２，１１２…第１ハウジング
１２Ａ，１１２Ａ…第１収容空間
１４，１１４…第２ハウジング
１４Ａ，１１４Ａ…第２収容空間
１６，１１６…フード部
２０，１２０…（一方の）機器側接続部
２１，１２１…（他方の）機器側接続部
３０，１３０…（一方の）電線側接続部
３１，１３１…（他方の）電線側接続部
４０，１４０…ヒューズ
４０Ａ，１４０Ａ…（ヒューズの）端部
５０，１５０…端子
５２，１５２…円筒部
５４，１５４…対向部
１１６Ａ…キャビティ
１５６…嵌合部
１５６Ａ…凹部
１７０…筒状部材
【図１】
2015215990.tif 000003
【図２】
2015215990.tif 000004
【図３】
2015215990.tif 000005
【図４】
2015215990.tif 000006
【図５】
2015215990.tif 000007
【図６】
2015215990.tif 000008
【図７】
2015215990.tif 000009
【図８】
2015215990.tif 000010
【図９】
2015215990.tif 000011
【図１０】
2015215990.tif 000012
【図１１】
2015215990.tif 000013
【図１２】
2015215990.tif 000014
【図１３】
2015215990.tif 000015
【図１４】
2015215990.tif 000016
【図１５】
2015215990.tif 000017
【図１６】
2015215990.tif 000018